(57)【特許請求の範囲】
【請求項１】
前面にドアを設けた食品冷却室と、前記食品冷却室内に引き出し可能に配置され、前記食品冷却室内の冷気により冷却される収納ケースと、前記食品冷却室の後部内壁に設けられた室内冷気戻り口と、前記室内冷気戻り口と連通する冷気戻り口を有する冷気戻り風路と、前記食品冷却室の前記室内冷気戻り口よりも前記ドア側の内壁に冷気導入孔が設けられ、前記冷気導入孔から吸い込まれる前記食品冷却室内の前側冷気を前記冷気戻り口に導き、前記食品冷却室と他室とを仕切る仕切り壁内に設けられた冷気戻りバイパス風路とを備えることを特徴とする冷蔵庫。
【請求項２】
前記冷気戻りバイパス風路は、前記食品冷却室の内壁から突出させて前後方向に延在した筒状の風路であり、前記冷気戻りバイパス風路の前端に冷気導入孔が設けられると共に、前記冷気戻りバイパス風路の後端近傍に前記冷気戻り口が設けられていることを特徴とする請求項１記載の冷蔵庫。
【請求項３】
前記冷気戻りバイパス風路は、前記食品冷却室の底部内壁に形成され、この底部内壁の両側部と後端部とに沿って略ｙ字状或いは略Ｕ字状に延在していることを特徴とする請求項２記載の冷蔵庫。
【請求項４】
前記冷気戻りバイパス風路は、前記食品冷却室の底部内壁に形成され、この底部内壁の両側部に沿って直線状に延在していることを特徴とする請求項２記載の冷蔵庫。
【請求項５】
前記冷気戻りバイパス風路は、前記食品冷却室の底部内壁と側部内壁とのコーナー部に形成され、このコーナー部に沿って直線状に延在していることを特徴とする請求項２記載の冷蔵庫。
【請求項６】
前記食品冷却室の側部内壁に設けられた収納ケース支持レールを更に備え、
前記冷気戻りバイパス風路は、前記収納ケース支持レールと前記側部内壁との間に形成されていることを特徴とする請求項２記載の冷蔵庫。
【発明の詳細な説明】
【０００１】
【発明の属する技術分野】
本発明は、引き出し式の収納ケースを有する冷蔵庫に関する。
【従来の技術】
従来、このような分野の技術としては、特開平５−１３３６７６号公報のものが知られている。この公報に記載された従来の冷蔵庫を、図１１の要部断面図に示す。同図より、１００は冷蔵庫本体、１０１は冷凍室、１０２は冷凍室扉、１０３は引き出し式の収納ケース、１０４は冷凍室１０１と他室を仕切る仕切り壁、１０４ａは仕切り壁表面、１０５はファングリル、１０６はファングリルに形成された冷気戻り口、１０７は冷却器、１０８は冷却器室である。
次に動作について説明する。冷却器１０７で冷却された冷気は、ファングリル１０５から送られ、冷凍室１０１を冷却する。そして、冷凍室１０１を冷却し終わった冷気は収納ケース１０３と仕切り壁表面１０４ａとの間を通り、冷気戻り口１０６より冷却器室１０８へ戻り、その後、そのサイクルを繰り返す。
【０００２】
【発明が解決しようとする課題】
ところで、図１２に示すように、収納ケース１０３を引き出す際に、収納ケース１０３から食品或いは食品の袋がこぼれ落ち、この食品或いは食品の袋によって冷気戻り口１０６が塞がれることがあった。このように冷気戻り口１０６が塞がれると、冷凍室１０１内の冷気の流れがなくなり、冷凍室１０１が冷却不良になる恐れがあった。
本発明は、このような問題を解決し、たとえ収納ケースから食品或いは食品の袋がこぼれ落ちても、冷凍室内の冷却不良が起こり難い冷蔵庫を提供することを目的とする。
【０００３】
【課題を解決するための手段】
請求項１の冷蔵庫は、前面にドアを設けた食品冷却室と、食品冷却室内に引き出し可能に配置され、食品冷却室内の冷気により冷却される収納ケースと、食品冷却室の後部内壁に設けられた室内冷気戻り口と、室内冷気戻り口と連通する冷気戻り口を有する冷気戻り風路と、食品冷却室の室内冷気戻り口よりもドア側の内壁に冷気導入孔が設けられ、冷気導入孔から吸い込まれる食品冷却室内の前側冷気を冷気戻り口に導導き、食品冷却室と他室とを仕切る仕切り壁内に設けられた冷気戻りバイパス風路とを備えることを特徴とする。
【０００４】
請求項２の冷蔵庫において、冷気戻りバイパス風路は、食品冷却室の内壁から突出させて前後方向に延在した筒状の風路であり、冷気戻りバイパス風路の前端に冷気導入孔が設けられると共に、冷気戻りバイパス風路の後端近傍に冷気戻り口が設けられていることを特徴とする。
【０００５】
請求項３の冷蔵庫において、冷気戻りバイパス風路は、食品冷却室の底部内壁に形成され、この底部内壁の両側部と後端部とに沿って略ｙ字状或いは略Ｕ字状に延在していることを特徴とする。
【０００６】
請求項４の冷蔵庫において、冷気戻りバイパス風路は、食品冷却室の底部内壁に形成され、この底部内壁の両側部に沿って直線状に延在していることを特徴とする。
【０００７】
請求項５の冷蔵庫において、冷気戻りバイパス風路は、食品冷却室の底部内壁と側部内壁とのコーナー部に形成され、このコーナー部に沿って直線状に延在していることを特徴とする。
【０００８】
請求項６の冷蔵庫は、食品冷却室の側部内壁に設けられた収納ケース支持レールを更に備え、冷気戻りバイパス風路は、収納ケース支持レールと側部内壁との間に形成されていることを特徴とする。
【０００９】
【発明の実施の形態】
以下、本発明に係る冷蔵庫の好適な実施の形態について添付図面を参照して説明する。
実施の形態１．
図１は、実施の形態１に係る冷蔵庫を示す要部断面図である。同図より、１は冷蔵庫本体、２は冷凍室から野菜室まで切替可能な切替室（食品冷却室）、３は引き出し式の切替室扉（ドア）、４は切替室扉３に取り付けられたフレーム、５はフレーム４に保持された収納ケース、６は切替室２の下に設けられた冷凍室、７は切替室２と冷凍室６とを仕切る仕切り壁、８は冷凍室６の後方に設けられた冷却器室、９は冷却器室８に設けられた冷却器、１０は冷却器９と冷凍室６との間に設けられたファングリルである。
【００１０】
また、１１はファングリル１０に保持され、冷却器９で冷却された冷気を送り出す送風機、１２は送風機１１で送り出された冷気を切替室２に導入する冷気導入風路、１３は冷気導入風路１２内の風量を調整するダンパー、１４はファングリル１０に設けられ、切替室２内で温くなった冷気を冷却器室８に戻す冷気戻り風路、１５はファングリル１０に設けられ、送風機１１で送り出された冷気を冷凍室６に導入する冷気導入路、１６は冷凍室６内で温くなった冷気を冷却器室８に戻す冷気戻り風路である。
仕切り壁７は、板状の断熱材７ａと、断熱材７ａの下部を覆う仕切り下部７ｂと、断熱材７ａの上部を覆う仕切り上部７ｃとから構成され、断熱材７ａの表面に凹部はない。
【００１１】
図２に示すように、仕切り壁７には、仕切り上部（底部内壁）７ｃの一部が凸状に盛り上がり、両側部と後端部とに沿って略ｙ字状に延在する冷気戻りバイパス風路１７が形成されている。即ち、冷気戻りバイパス風路１７は、右側部と左側部の前方からそれぞれ後方に延び、左側部を延びる風路が途中で屈曲して右方向に延びて右側部を後方に延びる風路に合流する。更に右側部を後方に延びる風路は、後部壁面を構成するファングリル１０の近傍に到達する。
【００１２】
冷気戻りバイパス風路１７の両前端部にはスリット孔（冷気導入孔）１７ａが形成され、冷気戻りバイパス風路１７の後端部は開口している。このため、切替室２内で温くなった冷気は、スリット孔１７ａを介して冷気戻りバイパス風路１７内を後方に進行し、冷気戻りバイパス風路１７後端の開口から排出される。冷気戻りバイパス風路１７の後端と対向するファングリル１０には、冷気戻り口１０ａが設けられ、冷気戻り口１０ａは冷気戻り風路１４に続いている。また、切替室２内の後部内壁には冷気戻り口１０ａと連通する室内冷気戻り口１０ｂが設けられている。このため、冷気戻りバイパス風路１７後端の開口から排出された冷気は、冷気戻り口１０ａを介して冷気戻り風路１４を通り、冷却器室８に到達する。
【００１３】
図３に示すように、冷却器９の上方中央に送風機１１が配設されている。そして、送風機１１から送風された冷気は、右上方を通って切替室２に導入される。また、送風機１１から送風された冷気は、下方を通って冷凍室６に導入される。冷却後の風路については、冷凍室６からの戻り冷気が、送風機１１の下方両端より冷却器９に排出される。また、切替室２および冷蔵室からの戻り冷気が、送風機１１の下方中央より冷却器９のに排出される。
【００１４】
次に、図１及び図２を用いて動作について説明する。まず、冷却器９で冷却された冷気は、送風機１１によって送風され、冷気導入風路１２を通って切替室２に導入される。冷気導入風路１２では、ダンパー１３によって風路内を流れる風量が調整される。切替室２に導入された冷気によって切替室２が冷却され、温くなった冷気は冷気戻り口１０ａを介して冷気戻り風路１４に排出される。
【００１５】
ここで、切替室２の冷気の進行路として、収納ケース５の底面と仕切り壁７の仕切り上部７ｃとの間を後方に進行して室内冷気戻り口１０ｂを介して冷気戻り口１０ａに到達する通常ルートと、スリット孔１７ａを介して冷気戻りバイパス風路１７内を後方に進行し、冷気戻りバイパス風路１７後端の開口から冷気戻り口１０ａに到達するバイパスルートとがある。
【００１６】
これらのルートによって冷気戻り口１０ａに到達した冷気は、冷気戻り風路１４を進行し、冷却器室８に到達する。冷却器室８に到達した冷気は、冷却器９で冷却されて、再び冷気導入風路１２を通って切替室２に導入される。以降、冷却器室８と切替室２との間を、冷気導入風路１２と冷気戻り風路１４とを介して循環するサイクルを繰り返し、切替室２を冷却する。
【００１７】
図１２で説明したように、収納ケース５と仕切り壁７との間に食品或いは食品の袋が詰まっている場合には、上記通常ルートによる冷気の排出は困難である。しかし、上記通常ルートによる冷気の排出が困難な場合でも、上記バイパスルートを通して、温くなった冷気を、確実に切替室２から排出させることができる。その結果、切替室２内の冷気の流れがなくなり、冷却不良になる事態が解消でき、切替室２内は常に最適冷却温度で維持される。
【００１８】
また、仕切り上部７ｃを突出させて、仕切り上部７ｃと断熱材７ａとの間に冷気戻りバイパス風路１７を形成しているので、仕切り壁７の断熱材を減らすことなく、戻り風路が構成される。その結果、仕切り壁７による断熱が十分に確保でき、断熱しきれずに利用する保温ヒータ等の手段が不要となり、安価、環境、リサイクルおよび信頼性に優れるといった効果が得られる。
【００１９】
さらに、図４に示すように、過剰な重量の食品を長期の間、収納ケース５に収納した場合、収納ケース５は変形し、その変形量は中央部が最も大きい。しかし、冷気戻りバイパス風路１７は、仕切り上部７ｃの両端部に形成されているので、収納ケース５の中央部が変型により沈み込んでも、収納ケース５と仕切り壁７とが接触することはない。
【００２０】
なお、冷気戻りバイパス風路１７は、切替室２だけでなく、チルド室、冷蔵室や冷凍室にも適用できるのはいうまでもない。また、冷気戻りバイパス風路１７の前端部に設ける孔は、スリット孔１７ａに限定されることなく、丸孔、矩形孔などの他の形状の孔も適用可能である。さらに、冷蔵庫の横幅に十分なゆとりがある場合には、冷気戻りバイパス風路１７をファングリル１０まで突出させて、冷気戻り口１０ａをファングリル１０の左右の両側に設けることが可能である。また、冷気戻りバイパス風路１７は、左右のピッチを広げることにより、収納ケース５の中央部が下方に変形しても、収納ケース５が冷気戻りバイパス風路１７に接触することはなくなり、より効果的である。
【００２１】
実施の形態２．
次に、実施の形態２に係る冷蔵庫を説明する。図５は、実施の形態２の冷蔵庫が有する切替室２を示す斜視図である。この実施の形態２が図２に示す実施の形態１と異なるのは、冷気戻りバイパス風路２０の形状が異なる点である。その他の構成については実施の形態１と同一又は同等である。なお、実施の形態１と同一又は同等な構成部分については同一符号を付し、その説明は省略する。
【００２２】
図５に示すように、仕切り壁７には、仕切り上部（底部内壁）７ｃの一部が凸状に盛り上がり、両側部及び後端部に沿って略Ｕ字状に延びる冷気戻りバイパス風路２０が形成されている。即ち、冷気戻りバイパス風路２０は、右側部と左側部の前方からそれぞれ後方に延び、後部壁面を構成するファングリル１０の近傍で屈曲して、ファングリル１０と平行に延びて合流する。
【００２３】
冷気戻りバイパス風路２０の両前端部にはスリット孔２０ａが形成され、冷気戻りバイパス風路２０の右後端部は開口している。このため、切替室２内で温くなった冷気は、スリット孔２０ａを介して冷気戻りバイパス風路２０内を後方に進行し、冷気戻りバイパス風路２０右後端の開口から排出される。冷気戻りバイパス風路２０の右後端と対向するファングリル１０には、冷気戻り口１０ａが設けられ、冷気戻り口１０ａは冷気戻り風路１４に続いている。また、切替室２内の後部内壁には冷気戻り口１０ａと連通する室内冷気戻り口１０ｂが設けられている。このため、冷気戻りバイパス風路２０右後端の開口から排出された冷気は、冷気戻り口１０ａを介して冷気戻り風路１４を通り、冷却器室８に到達する。
【００２４】
ここで、切替室２の冷気の進行路として、収納ケース５の底面と仕切り壁７の仕切り上部７ｃとの間を後方に進行して室内冷気戻り口１０ｂを介して冷気戻り口１０ａに到達する通常ルートと、スリット孔２０ａを介して冷気戻りバイパス風路２０内を後方に進行し、冷気戻りバイパス風路２０後端の開口から冷気戻り口１０ａに到達するバイパスルートとがある。
【００２５】
図１２で説明したように、収納ケース５と仕切り壁７との間に食品或いは食品の袋が詰まっている場合には、上記通常ルートによる冷気の排出は困難である。しかし、上記通常ルートによる冷気の排出が困難な場合でも、上記バイパスルートを通して、温くなった冷気を、確実に切替室２から排出させることができる。その結果、切替室２内の冷気の流れがなくなり、冷却不良になる事態が解消でき、切替室２内は常に最適冷却温度で維持される。
【００２６】
また、仕切り上部７ｃを突出させて、仕切り上部７ｃと断熱材７ａとの間に冷気戻りバイパス風路２０を形成しているので、仕切り壁７の断熱材を減らすことなく、戻り風路が構成される。その結果、仕切り壁７による断熱が十分に確保でき、断熱しきれずに利用する保温ヒータ等の手段が不要となり、安価、環境、リサイクルおよび信頼性に優れるといった効果が得られる。
【００２７】
なお、冷気戻りバイパス風路２０は、切替室２だけでなく、チルド室、冷蔵室や冷凍室にも適用できるのはいうまでもない。また、冷気戻りバイパス風路２０の前端部に設ける孔は、スリット孔２０ａに限定されることなく、丸孔、矩形孔などの他の形状の孔も適用可能である。さらに、冷蔵庫の横幅に十分なゆとりがある場合には、冷気戻りバイパス風路２０をファングリル１０まで突出させて、冷気戻り口１０ａをファングリル１０の左右の両側に設けることが可能である。また、冷気戻りバイパス風路２０は、左右のピッチを広げることにより、収納ケース５の中央部が下方に変形しても、収納ケース５が冷気戻りバイパス風路２０に接触することはなくなり、より効果的である。
【００２８】
実施の形態３．
次に、実施の形態３に係る冷蔵庫を説明する。図６は、実施の形態３の冷蔵庫が有する切替室２を示す斜視図である。この実施の形態３が図２に示す実施の形態１と異なるのは、冷気戻りバイパス風路２１の形状が異なる点と、冷気戻り口１０ａが２ケ所設けられている点である。その他の構成については実施の形態１と同一又は同等である。なお、実施の形態１と同一又は同等な構成部分については同一符号を付し、その説明は省略する。
【００２９】
図６に示すように、仕切り壁７には、仕切り上部（底部内壁）７ｃの一部が凸状に盛り上がり、両側部に沿って直線状に延びる冷気戻りバイパス風路２１が形成されている。即ち、冷気戻りバイパス風路２１は、右側部と左側部の前方からそれぞれ後方に延び、後部壁面を構成するファングリル１０の近傍に到達する。
【００３０】
冷気戻りバイパス風路２１の両前端部にはスリット孔２１ａが形成され、冷気戻りバイパス風路２１の後端部は開口している。このため、切替室２内で温くなった冷気は、スリット孔２１ａを介して冷気戻りバイパス風路２１内を後方に進行し、冷気戻りバイパス風路２１後端の開口から排出される。冷気戻りバイパス風路２１の後端と対向するファングリル１０には、冷気戻り口１０ａがそれぞれ設けられ、冷気戻り口１０ａは冷気戻り風路１４に続いている。また、切替室２内の後部内壁には冷気戻り口１０ａと連通する室内冷気戻り口１０ｂが設けられている。このため、冷気戻りバイパス風路２１後端の開口から排出された冷気は、冷気戻り口１０ａを介して冷気戻り風路１４を通り、冷却器室８に到達する。
【００３１】
ここで、切替室２の冷気の進行路として、収納ケース５の底面と仕切り壁７の仕切り上部７ｃとの間を後方に進行して室内冷気戻り口１０ｂを介して冷気戻り口１０ａに到達する通常ルートと、スリット孔２１ａを介して冷気戻りバイパス風路２１内を後方に進行し、冷気戻りバイパス風路２１後端の開口から冷気戻り口１０ａに到達するバイパスルートとがある。
【００３２】
図１２で説明したように、収納ケース５と仕切り壁７との間に食品或いは食品の袋が詰まっている場合には、上記通常ルートによる冷気の排出は困難である。しかし、上記通常ルートによる冷気の排出が困難な場合でも、上記バイパスルートを通して、温くなった冷気を、確実に切替室２から排出させることができる。その結果、切替室２内の冷気の流れがなくなり、冷却不良になる事態が解消でき、切替室２内は常に最適冷却温度で維持される。
【００３３】
また、仕切り上部７ｃを突出させて、仕切り上部７ｃと断熱材７ａとの間に冷気戻りバイパス風路２１を形成しているので、仕切り壁７の断熱材を減らすことなく、戻り風路が構成される。その結果、仕切り壁７による断熱が十分に確保でき、断熱しきれずに利用する保温ヒータ等の手段が不要となり、安価、環境、リサイクルおよび信頼性に優れるといった効果が得られる。
【００３４】
なお、冷気戻りバイパス風路２１は、切替室２だけでなく、チルド室、冷蔵室や冷凍室にも適用できるのはいうまでもない。また、冷気戻りバイパス風路２１の前端部に設ける孔は、スリット孔２１ａに限定されることなく、丸孔、矩形孔などの他の形状の孔も適用可能である。さらに、冷蔵庫の横幅に十分なゆとりがある場合には、冷気戻りバイパス風路２１をファングリル１０まで突出させて、冷気戻り口１０ａをファングリル１０の左右の両側に設けることが可能である。また、冷気戻りバイパス風路２１は、左右のピッチを広げることにより、収納ケース５の中央部が下方に変形しても、収納ケース５が冷気戻りバイパス風路２１に接触することはなくなり、より効果的である。
【００３５】
実施の形態４．
次に、実施の形態４に係る冷蔵庫を説明する。図７は、実施の形態４の冷蔵庫が有する切替室２を示す斜視図である。また、図８は、実施の形態４の冷蔵庫が有する切替室２を示す断面図である。この実施の形態４が図２に示す実施の形態１と異なるのは、冷気戻りバイパス風路２２の形状が異なる点と、冷気戻り口１０の配置が異なる点である。その他の構成については実施の形態１と同一又は同等である。なお、実施の形態１と同一又は同等な構成部分については同一符号を付し、その説明は省略する。
【００３６】
図７及び図８に示すように、仕切り壁７には、仕切り上部７ｃの一部が凸状に盛り上がり、仕切り上部（底部内壁）７ｃと側部内壁１ａとのコーナー部に沿って、直線状に延びる冷気戻りバイパス風路２２が形成されている。即ち、冷気戻りバイパス風路２２は、上記コーナー部を前方から後方に延び、後部壁面を構成するファングリル１０の近傍に到達している。
【００３７】
冷気戻りバイパス風路２２の前端部にはスリット孔２２ａが形成され、冷気戻りバイパス風路２２の後端部は開口している。このため、切替室２内で温くなった冷気は、スリット孔２２ａを介して冷気戻りバイパス風路２２内を後方に進行し、冷気戻りバイパス風路２２後端の開口から排出される。冷気戻りバイパス風路２２の後端と対向するファングリル１０には、冷気戻り口１０ａが設けられ、冷気戻り口１０ａは冷気戻り風路１４に続いている。また、切替室２内の後部内壁には冷気戻り口１０ａと連通する室内冷気戻り口１０ｂが設けられている。このため、冷気戻りバイパス風路２２後端の開口から排出された冷気は、冷気戻り口１０ａを介して冷気戻り風路１４を通り、冷却器室８に到達する。
【００３８】
ここで、切替室２の冷気の進行路として、収納ケース５の底面と仕切り壁７の仕切り上部７ｃとの間を後方に進行して室内冷気戻り口１０ｂを介して冷気戻り口１０ａに到達する通常ルートと、スリット孔２２ａを介して冷気戻りバイパス風路２２内を後方に進行し、冷気戻りバイパス風路２２後端の開口から冷気戻り口１０ａに到達するバイパスルートとがある。
【００３９】
図１２で説明したように、収納ケース５と仕切り壁７との間に食品或いは食品の袋が詰まっている場合には、上記通常ルートによる冷気の排出は困難である。しかし、上記通常ルートによる冷気の排出が困難な場合でも、上記バイパスルートを通して、温くなった冷気を、確実に切替室２から排出させることができる。その結果、切替室２内の冷気の流れがなくなり、冷却不良になる事態が解消でき、切替室２内は常に最適冷却温度で維持される。
【００４０】
また、仕切り上部７ｃを突出させて、仕切り上部７ｃと断熱材７ａとの間に冷気戻りバイパス風路２２を形成しているので、仕切り壁７の断熱材を減らすことなく、戻り風路が構成される。その結果、仕切り壁７による断熱が十分に確保でき、断熱しきれずに利用する保温ヒータ等の手段が不要となり、安価、環境、リサイクルおよび信頼性に優れるといった効果が得られる。
【００４１】
さらに、収納ケース５と冷蔵庫本体１の側部内壁１ａとのデッドスペースをバイパス風路として利用でき、仕切り壁７と収納ケース５の間を不要に詰めなくて済む。このため、収納ケース５の高さを制限する必要がなく、収納ケース５の容量に影響を及ぼさない。特に冷蔵庫の幅が狭い機種または強いケースを有する機種でケースのたわみ量が少ない時に優位である。
【００４２】
なお、冷気戻りバイパス風路２２は、切替室２だけでなく、チルド室、冷蔵室や冷凍室にも適用できるのはいうまでもない。また、冷気戻りバイパス風路２２の前端部に設ける孔は、スリット孔２２ａに限定されることなく、丸孔、矩形孔などの他の形状の孔も適用可能である。さらに、冷蔵庫の横幅に十分なゆとりがある場合には、冷気戻りバイパス風路２２をファングリル１０まで突出させて、冷気戻り口１０ａをファングリル１０の左右の両側に設けることが可能である。また、冷気戻りバイパス風路２２は、左右のピッチを広げることにより、収納ケース５の中央部が下方に変形しても、収納ケース５が冷気戻りバイパス風路２２に接触することはなくなり、より効果的である。
【００４３】
実施の形態５．
次に、実施の形態５に係る冷蔵庫を説明する。図９は、実施の形態５の冷蔵庫が有する切替室２を示す斜視図である。また、図１０は、実施の形態５の冷蔵庫が有する切替室２を示す部分断面図である。この実施の形態５が図２に示す実施の形態１と異なるのは、冷気戻りバイパス風路２３の形状及び配置が異なる点と、冷気戻り口１０ａの配置が異なる点である。その他の構成については実施の形態１と同一又は同等である。なお、実施の形態１と同一又は同等な構成部分については同一符号を付し、その説明は省略する。
【００４４】
図９及び図１０に示すように、冷蔵庫本体１の側部内壁１には、前後方向に延びるレール（収納ケース支持レール）２４が組み込まれ、レール２４の上部には、フレーム２５が前後方向に慴動自在に係合している。そして、フレーム２５の上に収納ケース５が載置され、フレーム２５の動きに合わせて、収納ケース５は前後方向に出し入れできる。また、レール２４の下部と冷蔵庫本体１の側部内壁１との間には、前後方向に延びる冷気戻りバイパス風路２３が形成されている。
【００４５】
冷気戻りバイパス風路２３の前端部にはスリット孔２３ａが形成され、冷気戻りバイパス風路２３の後端部は開口している。このため、切替室２内で温くなった冷気は、スリット孔２３ａを介して冷気戻りバイパス風路２３内を後方に進行し、冷気戻りバイパス風路２３後端の開口から排出される。冷気戻りバイパス風路２３の後端と対向するファングリル１０には、冷気戻り口１０ａが設けられ、冷気戻り口１０ａは冷気戻り風路１４に続いている。また、切替室２内の後部内壁には冷気戻り口１０ａと連通する室内冷気戻り口１０ｂが設けられている。このため、冷気戻りバイパス風路２１後端の開口から排出された冷気は、冷気戻り口１０ａを介して冷気戻り風路１４を通り、冷却器室８に到達する。
【００４６】
ここで、切替室２の冷気の進行路として、収納ケース５の底面と仕切り壁７の仕切り上部７ｃとの間を後方に進行して室内冷気戻り口１０ｂを介して冷気戻り口１０ａに到達する通常ルートと、スリット孔２３ａを介して冷気戻りバイパス風路２３内を後方に進行し、冷気戻りバイパス風路２３後端の開口から冷気戻り口１０ａに到達するバイパスルートとがある。
【００４７】
図１２で説明したように、収納ケース５と仕切り壁７との間に食品或いは食品の袋が詰まっている場合には、上記通常ルートによる冷気の排出は困難である。しかし、上記通常ルートによる冷気の排出が困難な場合でも、上記バイパスルートを通して、温くなった冷気を、確実に切替室２から排出させることができる。その結果、切替室２内の冷気の流れがなくなり、冷却不良になる事態が解消でき、切替室２内は常に最適冷却温度で維持される。
【００４８】
また、冷蔵庫本体１の側部内壁１に冷気戻りバイパス風路２３を形成しているので、仕切り壁７の断熱材を減らすことなく、戻り風路が構成される。その結果、仕切り壁７による断熱が十分に確保でき、断熱しきれずに利用する保温ヒータ等の手段が不要となり、安価、環境、リサイクルおよび信頼性に優れるといった効果が得られる。
【００４９】
さらに、収納ケース５と冷蔵庫本体１の側部内壁１ａとのデッドスペースをバイパス風路として利用でき、仕切り壁７と収納ケース５の間を不要に詰めなくて済む。このため、収納ケース５の高さを制限する必要がなく、収納ケース５の容量に影響を及ぼさない。特に冷蔵庫の幅が狭い機種または強いケースを有する機種でケースのたわみ量が少ない時に優位である。
また、仕切り壁７に比べて、冷気戻りバイパス風路２３が十分高い位置になるため、仕切り壁７表面にこぼれた水や食品が冷気戻りバイパス風路２３内に進入し難くなる。
【００５０】
なお、冷気戻りバイパス風路２３は、切替室２だけでなく、チルド室、冷蔵室や冷凍室にも適用できるのはいうまでもない。また、冷気戻りバイパス風路２３の前端部に設ける孔は、スリット孔２３ａに限定されることなく、丸孔、矩形孔などの他の形状の孔も適用可能である。さらに、冷蔵庫の横幅に十分なゆとりがある場合には、冷気戻りバイパス風路２３をファングリル１０まで突出させて、冷気戻り口１０ａをファングリル１０の左右の両側に設けることが可能である。
【００５１】
また、冷気戻りバイパス風路２３は、左右のピッチを広げることにより、収納ケース５の中央部が下方に変形しても、収納ケース５が冷気戻りバイパス風路２３に接触することはなくなり、より効果的である。さらに、フレーム２５と収納ケース５とを一体化したものにも適用でき、レール２４は棚を保持する構造のものにも適用可能である。
【００５２】
【発明の効果】
本発明に係る冷蔵庫は、以上のように構成されているため、次のような効果を得ることができる。
即ち、食品冷却室内の前側冷気を冷気戻り口に導く冷気戻りバイパス風路が設けられているので、収納ケースから食品或いは食品の袋がこぼれ落ち、収納ケースと底部内壁との間に食品或いは食品の袋が詰まっている場合であっても、冷気戻りバイパス風路に冷気を流させることによって、温くなった冷気を確実に食品冷却室から排出させることができる。その結果、食品冷却室内の冷気の流れがなくなり、冷却不良になる事態が解消でき、食品冷却室内は常に最適冷却温度で維持される。
【００５３】
また、食品冷却室の内壁から突出させて、冷気戻りバイパス風路を形成することにより、食品冷却室の内壁に用いる断熱材を減らすことなく風路を構成することができる。その結果、食品冷却室の内壁による断熱が十分に確保でき、断熱しきれずに利用する保温ヒータ等の手段が不要となり、安価、環境、リサイクルおよび信頼性に優れるといった効果が得られる。
【００５４】
さらに、冷気戻りバイパス風路を底部内壁の両側部に沿って延在させて、底部内壁の中央部を避けることにより、収納ケースの中央部が下方に変形しても、収納ケースが冷気戻りバイパス風路に接触することはない。
【図面の簡単な説明】
【図１】  実施の形態１に係る冷蔵庫を示す要部断面図である。
【図２】  実施の形態１に係る冷蔵庫が有する冷気戻りバイパス風路を示す斜視図である。
【図３】  庫内を循環する冷気の流れを示す図である。
【図４】  収納ケースの変形状態を示す断面図である。
【図５】  実施の形態２に係る冷蔵庫が有する冷気戻りバイパス風路を示す斜視図である。
【図６】  実施の形態３に係る冷蔵庫が有する冷気戻りバイパス風路を示す斜視図である。
【図７】  実施の形態４に係る冷蔵庫が有する冷気戻りバイパス風路を示す斜視図である。
【図８】  収納ケース及び冷気戻りバイパス風路を示す断面図である。
【図９】  実施の形態５に係る冷蔵庫が有する冷気戻りバイパス風路を示す斜視図である。
【図１０】  レール及び冷気戻りバイパス風路を示す断面図である。
【図１１】  従来の冷蔵庫を示す要部断面図である。
【図１２】  従来の冷蔵庫を示す要部断面図である。
【符号の説明】
１：冷蔵庫本体、１ａ：側部内壁、２：切替室（食品冷却室）、３：切替室扉（ドア）、５：収納ケース、７：仕切り壁、７ａ：仕切り上部（底部内壁）、１０：ファングリル、１０ａ：冷気戻り口、１０ｂ：室内冷気戻り口、１７，２０，２１，２２，２３：冷気戻りバイパス風路、１７ａ，２０ａ，２１ａ，２２ａ，２３ａ：スリット孔（冷気導入孔）、２４：レール（収納ケース支持レール）。
【図１】
0004240681.tif 000002
【図２】
0004240681.tif 000003
【図３】
0004240681.tif 000004
【図４】
0004240681.tif 000005
【図５】
0004240681.tif 000006
【図６】
0004240681.tif 000007
【図７】
0004240681.tif 000008
【図８】
0004240681.tif 000009
【図９】
0004240681.tif 000010
【図１０】
0004240681.tif 000011
【図１１】
0004240681.tif 000012
【図１２】
0004240681.tif 000013